(57)【要約】【課題】安価なインクジェットプリンタにおいて、インクミストの拡散により筐体内部の部材へのインクの付着を軽減し、記録紙が汚損されにくいようにする。【解決手段】インクジェットプリンタは、筐体内部で副走査方向に搬送される記録紙Ｐに、副走査方向と略直交する主走査方向に往復駆動されるキャリッジ２に搭載されている記録ヘッド３ａからインクを吐出して画像をプリントする。キャリッジ２の両側面下部には、繊維材のブラシ部２１ａ，２１ｂを有する吸着ブラシ２０ａ，２０ｂが設けられている。記録ヘッド３ａの近傍で発生したインクミストは、吸着ブラシ２０ａ，２０ｂが設けられていることにより筐体内部に拡散せず、また、吸着ブラシ２０ａ，２０ｂにより吸着されるので、筐体内部の部材へインクが付着しにくくなる。【選択図】図４
2008055799.tif 000002
【特許請求の範囲】
【請求項１】
インクを貯蔵したインクタンクと、このインクタンクに貯蔵されたインクを下方の記録紙に向けて吐出させる記録ヘッドを有するインクカートリッジと、
筐体内部に配され、前記インクカートリッジが挿脱自在に搭載されるキャリッジと、
副走査方向に記録紙を搬送する記録紙搬送機構と、
前記キャリッジを副走査方向に略直交する主走査方向に往復移動させる駆動機構と、
前記筐体内部に搬送される記録紙が装填される給紙トレイと、
前記筐体内部から記録紙が排出される排紙トレイとを備えたインクジェットプリンタにおいて、
前記キャリッジの副走査方向に平行な両側部における前記記録ヘッドが配置される部位の側方に設けられた一対の吸着ブラシをさらに備え、
前記吸着ブラシは、それぞれ、副走査方向に沿って所定の間隔で隙間を有するように配置された複数の繊維材の束で構成され、その下端部が記録紙近傍に位置するように、前記キャリッジの各側部から下方の記録紙に向けてそれぞれ配置されており、
前記隙間は、副走査方向に沿って、前記一対の吸着ブラシ間で互い違いに並ぶように設けられており、
前記キャリッジの移動中に前記記録ヘッドから吐出されミスト状となったインクの一部を、前記吸着ブラシに吸着させることが可能であることを特徴とするインクジェットプリンタ。
【請求項２】
副走査方向に記録紙を搬送する記録紙搬送機構と、
前記記録紙搬送機構により搬送される記録紙に向けてインクを吐出して、その記録紙に画像を形成する記録ヘッドを搭載しており、副走査方向に略直交する主走査方向に往復移動するキャリッジとを備えたインクジェットプリンタにおいて、
前記キャリッジの前記記録ヘッドに対応する部位に設けられ、繊維材の束で構成された吸着ブラシをさらに備え、
前記キャリッジの移動中に前記記録ヘッドから吐出されミスト状となったインクの一部を、前記吸着ブラシに吸着させることが可能であることを特徴とするインクジェットプリンタ。
【請求項３】
前記吸着ブラシは、前記キャリッジの副走査方向に平行な両側部それぞれに設けられていることを特徴とする請求項２に記載のインクジェットプリンタ。
【発明の詳細な説明】
【技術分野】
【０００１】
本発明は、筐体内部で搬送される記録紙に向け、その搬送方向と直交する方向に往復駆動されるキャリッジからインクを吐出することにより、記録紙上に画像を形成するインクジェットプリンタに関する。
【背景技術】
【０００２】
従来より、記録紙に向けてキャリッジからインクを吐出することにより、記録紙に画像を形成（以下、プリントと称する）する機能を有するインクジェットプリンタが用いられている（例えば、特許文献１乃至特許文献４参照）。このようなインクジェットプリンタにおいては、記録紙にインクを吐出する際に、インクの微小な粒子が霧状となったインクミストが発生する。このインクミストは、インクジェットプリンタの筐体内部を浮遊し、その壁面や、記録紙を搬送するためのローラ等、筐体内部の各部材に付着する。従って、プリントを長時間行った場合には、インクミストが多量に筐体内部の各部材に付着し、筐体内部に搬送された記録紙が汚損してしまうことがある。
【０００３】
このような問題に対して、例えば特許文献１に記載の記録装置は、キャリッジの両側壁部から下方に向け突出したじゃま板を有すると共に、インクが吐出される部位の近傍に、インクミストを吸着する吸着体を設けた吸入口を有している。そして、インクミストを、じゃま板により吸入口に導入した後、吸着体に吸着させることにより、インクミストの浮遊を軽減させている。しかしながら、この記録装置では、キャリッジの構造が複雑化、大型化してしまい、安価で小型なインクジェットプリンタには適用することが困難である。
【０００４】
また、特許文献２には、インクカートリッジの側壁にフィルタを設けたインクジェットプリンタが記載されている。このインクジェットプリンタは、キャリッジの移動に伴いフィルタが移動して、インクミストを吸収除去するように構成されている。しかしながら、インクカートリッジにフィルタが設けられているので、インクカートリッジの製造コストが高くなってしまう。また、このフィルタは、インクを吐出する部位とは離れた位置に設けられているので、インクを吐出する部位近傍で拡散したインクミストをすぐに吸着することができず、筐体内部でのインクミストの浮遊を軽減する効果はあまり高くないと考えられる。
【０００５】
そして、特許文献３には、キャリッジの下面に突出壁等を設け、キャリッジの対向面側以外の部位へのインクミストの拡散を防止したインクジェットプリンタが記載されている。しかしながら、インクミストは、キャリッジの突出壁等で囲まれた部位に留まるので、その部位の突出壁等の部材にインクミストが付着し、記録紙が汚損される可能性がある。
【０００６】
また、特許文献４には、網目のネットで吸水材を覆って形成されたインクミスト吸収体を記録ヘッドの周辺に配置したインクジェットプリンタが記載されている。しかしながら、このインクジェットプリンタでは、インクミストが広い範囲に浮遊することを防止する構造を有しておらず、インクミストが浮遊して筐体内部の部材に付着してしまうので、プリントを長時間行った場合には、記録紙が汚損される可能性がある。
【特許文献１】特開２００４−２０２８０３号公報
【特許文献２】特開２０００−１５８６７２号公報
【特許文献３】特開２００４−１８１６８６号公報
【特許文献４】特開昭６３−１０２９４３号公報
【発明の開示】
【発明が解決しようとする課題】
【０００７】
本発明は、上記問題点を鑑みてなされたものであり、インクミストの拡散を防止して筐体内部の部材へのインクの付着を軽減可能であり、長時間プリントしても記録紙が汚損されにくい安価なインクジェットプリンタを提供することを目的とする。
【課題を解決するための手段】
【０００８】
上記目的を達成するため請求項１の発明は、インクを貯蔵したインクタンクと、このインクタンクに貯蔵されたインクを下方の記録紙に向けて吐出させる記録ヘッドを有するインクカートリッジと、筐体内部に配され、前記インクカートリッジが挿脱自在に搭載されるキャリッジと、副走査方向に記録紙を搬送する記録紙搬送機構と、前記キャリッジを副走査方向に略直交する主走査方向に往復移動させる駆動機構と、前記筐体内部に搬送される記録紙が装填される給紙トレイと、前記筐体内部から記録紙が排出される排紙トレイとを備えたインクジェットプリンタにおいて、前記キャリッジの副走査方向に平行な両側部における前記記録ヘッドが配置される部位の側方に設けられた一対の吸着ブラシをさらに備え、前記吸着ブラシは、それぞれ、副走査方向に沿って所定の間隔で隙間を有するように配置された複数の繊維材の束で構成され、その下端部が記録紙近傍に位置するように、前記キャリッジの各側部から下方の記録紙に向けてそれぞれ配置されており、前記隙間は、副走査方向に沿って、前記一対の吸着ブラシ間で互い違いに並ぶように設けられており、前記キャリッジの移動中に前記記録ヘッドから吐出されミスト状となったインクの一部を、前記吸着ブラシに吸着させることが可能であるものである。
【０００９】
請求項２の発明は、副走査方向に記録紙を搬送する記録紙搬送機構と、前記記録紙搬送機構により搬送される記録紙に向けてインクを吐出して、その記録紙に画像を形成する記録ヘッドを搭載しており、副走査方向に略直交する主走査方向に往復移動するキャリッジとを備えたインクジェットプリンタにおいて、前記キャリッジの前記記録ヘッドに対応する部位に設けられ、繊維材の束で構成された吸着ブラシをさらに備え、前記キャリッジの移動中に前記記録ヘッドから吐出されミスト状となったインクの一部を、前記吸着ブラシに吸着させることが可能であるものである。
【００１０】
請求項３の発明は、請求項２の発明において、前記吸着ブラシは、前記キャリッジの副走査方向に平行な両側部それぞれに設けられているものである。
【発明の効果】
【００１１】
請求項１の発明によれば、一対の吸着ブラシが、キャリッジの副走査方向に平行な両側部における記録ヘッドが配置される部位の側方に設けられているので、記録ヘッドからインクを吐出する際に発生したインクミストが、一対の吸着ブラシの間に滞留し、筐体内部の空間に拡散しにくくなる。また、吸着ブラシは、束状に集合された繊維材であるので、簡易な構成により、浮遊するインクミストを吸着ブラシに吸着させることができ、多量のインクミストを吸着して保持可能である。従って、筐体内部の部材にインクが付着しにくく、長時間連続してプリントしても記録紙が汚損されにくくなる。さらに、吸着ブラシの製造コストも安価である。また、一対の吸着ブラシには、副走査方向に沿って互い違いに並ぶような隙間が設けられているので、キャリッジの移動に伴い、キャリッジ下面の一対の吸着ブラシで囲まれた部位に側方から空気が流入し、キャリッジの移動に伴い、記録ヘッド付近のインクミストが、キャリッジの移動方向とは反対側の側面に設けられている吸着ブラシに当たりやすくなる。従って、より効果的にインクミストを吸着ブラシに吸着させることができ、記録紙の汚損をさらに防止することが可能になる。
【００１２】
請求項２の発明によれば、キャリッジの記録ヘッドに対応する部位に、繊維材の束で構成された吸着ブラシが設けられているので、簡易な構成により、浮遊するインクミストを吸着ブラシに吸着させることができる。従って、筐体内部の部材にインクが付着しにくく、長時間プリントしても記録紙が汚損されにくくなり、また、吸着ブラシの製造コストも安価である。
【００１３】
請求項３の発明によれば、吸着ブラシが、キャリッジの副走査方向に平行な両側部それぞれの記録ヘッドに対応する部位に設けられているので、記録ヘッド近傍に発生したインクミストが、筐体内部の空間に拡散しにくくなり、また、インクミストが、キャリッジの往復移動により、それぞれの吸着ブラシにより吸着される。従って、筐体内部に浮遊するインクミストの量をより少なくすることができ、記録紙の汚損をより防止することが可能になる。
【発明を実施するための最良の形態】
【００１４】
以下、本発明の一実施形態について図面を参照して説明する。図１及び図２は、本実施形態に係るインクジェットプリンタを示す。このインクジェットプリンタ（以下、プリンタと称する）１は、インクを吐出する記録ヘッド３ａを下面に有するインクカートリッジ３が搭載されたキャリッジ２を、主走査方向（図に矢印Ａで示す）に往復移動させることにより、主走査方向と直交する副走査方向（図に矢印Ｂで示す）に搬送される記録紙Ｐに画像を形成するものである。このプリンタ１は、例えば外部のパーソナルコンピュータ（図示せず）等と接続されており、このパーソナルコンピュータ等から送信されるデータ及びコマンド等に基づいて、記録紙Ｐに画像を形成するプリント動作を行う機能を有している。
【００１５】
このプリンタ１は、筐体１０の背面に、プリントされる記録紙Ｐが装填される給紙トレイ１１を有しており、また、筐体１０の前面下方に、プリントされた記録紙Ｐを排出するための排紙トレイ１２を有している。このプリンタ１は、例えばＡ４サイズの記録紙Ｐに画像を形成可能なものである。図に示すように、記録紙Ｐは、給紙トレイ１１に主走査方向に摺動可能に設けられている２つのガイド爪１１ｂにより、給紙トレイ１１に位置決めされた状態で装填されている。
【００１６】
このプリンタ１の筐体１０の内部には、キャリッジ２と、キャリッジ２に搭載されているインクカートリッジ３と、キャリッジ２の背面側に主走査方向が長手方向に配されるシャフト４と、記録紙搬送機構６と、キャリッジ２に駆動力を与えて往復移動させる駆動機構７と、キャリッジ２の主走査方向の位置を検出するために用いられて筐体１０に主走査方向に沿って配されているエンコーダスケール８と、プリンタ１の種々の動作を制御するための制御回路９とが設けられている。キャリッジ２の下方には、筐体１０の内部で搬送される記録紙Ｐを支えるプラテン１３が配置されている。
【００１７】
キャリッジ２は、シャフト４に摺動可能に嵌合されており、後述するように駆動機構７のベルト７ａの一部分に接続されており、シャフト４に沿って主走査方向に移動可能に配置されている。キャリッジ２にはフォトカプラ（図示せず）が搭載されており、このフォトカプラが所定の解像度を有するエンコーダスケール８上を走査することにより、キャリッジ２の主走査方向の位置を検出可能となるように構成されている。キャリッジ２の内部には空間が形成されており、インクカートリッジ３がこの空間に着脱可能に配されている。キャリッジ２の左右（主走査方向）両側面の下部には、それぞれ、吸着ブラシ２０ａ，２０ｂが設けられている。
【００１８】
インクカートリッジ３は、内部にインクを貯蔵したインクタンク（図示せず）を有している。インクカートリッジ３の下面には、インクタンクに収納されたインクを吐出するための複数のノズルを有する記録ヘッド３ａが設けられている。記録ヘッド３ａは、インクカートリッジ３がキャリッジ２に装着された状態で、キャリッジ２から露出し、下方のプラテン１３に対向するように設けられており、記録ヘッド３ａから、記録紙Ｐのうちプラテン１３により支えられている部位にインクが吐出されるように構成されている。本実施形態において、インクカートリッジ３は、例えばシアン、マゼンタ、イエロー等のカラーインクが封入されたものと、ブラックインクが封入されたものとの２つがキャリッジ２に搭載されている。すなわち、このプリンタ１は、記録紙Ｐにカラー画像を形成可能に構成されているものである。なお、キャリッジ２に搭載されるインクカートリッジ３の構成はこれに限られるものではなく、例えばブラックインクとカラーインクが１つのインクカートリッジ３に封入されたものであったり、カラーインクも各色毎に別個に封入されているものであったりしてもよい。また、このプリンタ１は、キャリッジ２にブラックインクが封入されたインクカートリッジ３のみが搭載されており、例えばグレースケール画像を形成するようなものであってもよい。
【００１９】
記録紙搬送機構６は、本実施形態において、動力源であるモータ６ａと、記録紙Ｐを給紙トレイ１１から筐体１０の内部に送るためのピックローラ６ｂと、ピックローラ６ｂにより筐体１０の内部に送られた記録紙Ｐを筐体１０の内部で副走査方向に搬送するための搬送ローラ６ｃと、画像が形成された記録紙Ｐを排紙トレイ１２に排出する排紙ローラ６ｄ等で構成されている。モータ６ａは、例えば歯車等を介して、ピックローラ６ｂ、搬送ローラ６ｃ、及び排紙ローラ６ｄを回動させるように構成されている。搬送ローラ６ｃは、記録紙Ｐに記録ヘッド３ａからインクが吐出される位置よりも、記録紙Ｐの搬送方向の上流側に設けられており、排紙ローラ６ｄは、その位置よりも、搬送方向下流側に設けられている。これらの搬送ローラ６ｃ及び排紙ローラ６ｄは、それぞれ、記録紙Ｐの画像が形成される上面に当接するローラと下面に当接するローラの２つの互いに連動するローラにより構成されており、モータ６ａにより駆動される。記録紙Ｐは、これらのローラが記録紙に接触して回動することにより、副走査方向に搬送される。
【００２０】
駆動機構７は、例えば、プリンタ１の筐体１０に主走査方向に沿って配されている環状のベルト７ａと、このベルト７ａを回動させるためのＤＣモータ７ｂとにより構成されているものである。ベルト７ａの一部分は、キャリッジ２の後方に接続されている。駆動機構７は、ＤＣモータ７ｂによってベルト７ａを回動させることにより、キャリッジ２に駆動力を与えて主走査方向に往復移動させる。なお、駆動機構７はこの構成に限られるものではなく、例えばステッピングモータ等を用いたものであってもよい。
【００２１】
制御回路９は、例えば外部のパーソナルコンピュータ等で動作するデバイスドライバ等のソフトウェア等により制御されるものである。この制御回路９は、例えば、パーソナルコンピュータから送信されるデータ及びコマンド等に基づいて、記録紙搬送機構６、駆動機構７、及び記録ヘッド３ａ等を制御することにより、記録紙Ｐ上に画像を形成するプリント機能を実行する。制御回路９は、このようなプリント機能の他、例えばデジタルスチルカメラ等から送信されるようなＪＰＥＧ圧縮された画像データを解凍して記録紙Ｐ上に画像を形成する機能を有しているようなものであってもよい。また、制御回路９は、例えば筐体１０に設けられるような操作ボタン等がユーザ等により操作されることに応じて、所定の機能を動作させるように構成されていてもよい。
【００２２】
図３は、キャリッジ２の記録ヘッド３ａが配置される部位の近傍を示す。吸着ブラシ２０ａ，２０ｂは、キャリッジ２のうち、記録ヘッド３ａが配置される部位の側方に、それぞれ配置されている。吸着ブラシ２０ａ，２０ｂは、副走査方向に沿って一定間隔で配列された複数の繊維材の束によって構成されたブラシ部２１ａ，２１ｂと、キャリッジ２に取り付けられており、ブラシ部２１ａ，２１ｂの上部をそれぞれ保持する例えば樹脂製の保持部２２ａ，２２ｂとをそれぞれ有している。ブラシ部２１ａ，２１ｂは、それぞれ、保持部２２ａ，２２ｂから下方の記録紙Ｐに向けて、その下端部が記録紙Ｐの近傍に位置して自由端となるように保持部２２ａ，２２ｂにより保持されている。また、ブラシ部２１ａ，２１ｂは、副走査方向に沿って、例えば２ｍｍ程度の所定の間隔で隙間２３を有するように構成されている。ブラシ部２１ａ，２１ｂの繊維材としては、例えばレーヨン繊維や、綿繊維や、紙繊維等、吸湿性のある繊維を用いる。本実施形態において、保持部２２ａ，２２ｂは、キャリッジ２の左右各側面に形成されている係合部（図示せず）に係合して取り付けられるように構成されており、吸着ブラシ２０ａ，２０ｂはキャリッジ２に着脱可能に構成されている。これにより、例えばプリント動作を長時間行った場合に、吸着ブラシ２０ａ，２０ｂを取り外して吸着ブラシ２０ａ，２０ｂを清掃したり、吸着ブラシ２０ａ，２０ｂを交換することができ、容易にメンテナンス作業を行えるように構成されている。なお、ブラシ部２１の材質は上述のものに限られるものではない。
【００２３】
このプリンタ１では、吸着ブラシ２０ａ，２０ｂが共にキャリッジ２に装着されている状態で、隙間２３が、左右の一対の吸着ブラシ２０ａ，２０ｂ間で、副走査方向に沿って互い違いに、交互に並ぶように構成されている。すなわち、吸着ブラシ２０ａ，２０ｂは、キャリッジ２を側面視したとき、手前側の吸着ブラシ２０ａ，２０ｂのブラシ部２１ａ，２１ｂの隙間２３から、他方の吸着ブラシ２０ｂ，２０ａが見えるように構成されている。
【００２４】
次に、図４を用いて、このプリンタ１のプリント動作時におけるキャリッジ２の動作について説明する。上述のように、プリンタ１は、キャリッジ２がプリント動作時に主走査方向に往復移動すると共に、記録ヘッド３ａから記録紙Ｐに向けてインクＩを吐出させることにより、記録紙Ｐ上に画像を形成する。ここで、記録ヘッド３ａからは、微小液滴状のインクＩが記録紙Ｐに向けて吐出される際に、同時に微粒子状のインクが空気中に放出され、インクミストとして空気中に霧状に拡散する。このプリンタ１では、吸着ブラシ２０ａ，２０ｂが記録ヘッド３ａに対応する位置に配置されているので、発生したインクミストの大部分は、記録紙Ｐと、記録ヘッド３ａと、左右の吸着ブラシ２０ａ，２０ｂで囲まれた部位に留まる。
【００２５】
ここで、吸着ブラシ２０ａ，２０ｂのブラシ部２１ａ，２１ｂは、束状に集合した繊維材であるので、空気中の液体微粒子を吸着してそれらの繊維材間に保持しやすいように構成されている。そのため、発生したインクミストのうち、吸着ブラシ２０ａ，２０ｂに当たったものが、その吸着ブラシ２０ａ，２０ｂに吸着される。また、本実施形態において、吸着ブラシ２０ａ，２０ｂには隙間２３が設けられているので、キャリッジ２の往復移動に伴い、キャリッジ２に対し、記録ヘッド３ａと記録紙Ｐとの間へ流れ込む気流が生じる。これにより、インクミストが吸着ブラシ２０ａ，２０ｂに向けて流され、多量のインクミストが、吸着ブラシ２０ａ，２０ｂに当たって吸着されるように構成されている。
【００２６】
例えば、キャリッジが図４の矢印Ｆ方向に移動しているとき、記録ヘッド３ａと記録紙Ｐとの間の空間に、キャリッジ２の左側面に配置された吸着ブラシ２０ａの隙間２３を通り、筐体１０の内部の空気が、図の矢印Ｓで示すように流れ込む。また、同じく矢印Ｓで示すように、キャリッジ２の右側面に配置された吸着ブラシ２０ｂの隙間２３を通り、記録ヘッド３ａと記録紙Ｐとの間の空間の空気が、その空間の外部に流出する。このように記録ヘッド３ａの近傍部位に空気が流れることにより、記録ヘッド３ａの周辺に発生して浮遊するインクミストは、キャリッジ２から見て図の矢印Ｍ方向に流れ、吸着ブラシ２０ｂに当たりやすくなる。従って、インクミストが、吸着ブラシ２０ｂにより効果的に吸着される。
【００２７】
このように、このプリンタ１では、吸着ブラシ２０ａ，２０ｂが設けられていることにより、記録ヘッド３ａ付近で発生したインクミストが筐体１０の内部の空間に拡散しにくく、また、吸着ブラシ２０ａ，２０ｂに吸着されるので、筐体１０の内部の部材にインクが付着しにくくなり、長時間プリント動作を行った場合でも記録紙Ｐが汚損されにくい。また、吸着ブラシ２０ａ，２０ｂは繊維材を用いて簡易に構成されているので、その製造コストは安価であり、また、多量のインクミストを吸着可能であるので、プリンタ１のランニングコストも従来と比較して高くならない。さらにまた、吸着ブラシ２０ａ，２０ｂに隙間２３が設けられているので、キャリッジ２の動作に応じてインクミストが吸着ブラシ２０ａ，２０ｂに当たって吸着されやすくなり、インクミストの拡散をより効果的に防止することができ、記録紙Ｐの汚損をさらに防止することができる。
【００２８】
なお、本発明は上記実施形態の構成に限定されるものではなく、発明の趣旨を変更しない範囲で適宜に種々の変形が可能である。例えば、吸着ブラシの位置や個数は、上述に限られるものではなく、例えば、吸着ブラシが、キャリッジの下面から突出するように設けられていてもよく、また、１個だけ、又は３個以上設けられていてもよい。また、吸着ブラシは、取替え可能ではなく、例えばブラシ部がキャリッジに一体に取り付けられていてもよいし、隙間２３が設けられず、ブラシ部が副走査方向に連続するように構成されているものであってもよい。このようなときにも、簡易な構成の吸着ブラシによりインクミストを吸着することが可能であり、記録紙の汚損を防止することができる。さらにまた、吸着ブラシは、例えばインクミストを静電気力により引き寄せるように帯電しやすいような繊維材を用いて、さらにインクミストを効果的に吸着できるように構成されていてもよい。
【図面の簡単な説明】
【００２９】
【図１】本発明の一実施形態に係るインクジェットプリンタの一例を示す斜視図。
【図２】上記プリンタのキャリッジが設けられている部位を示す側面図。
【図３】上記プリンタのキャリッジの下面の一部を示す斜視図。
【図４】上記プリンタの動作を示す正面図。
【符号の説明】
【００３０】
１  プリンタ（インクジェットプリンタ）
２  キャリッジ
３  インクカートリッジ
３ａ  記録ヘッド
６  記録紙搬送機構
６ｃ  搬送ローラ
６ｄ  排紙ローラ
７  駆動機構
１０  筐体
１１  給紙トレイ
１２  排紙トレイ
２０ａ，２０ｂ  吸着ブラシ
２１ａ，２１ｂ  ブラシ部（繊維材）
Ａ  主走査方向
Ｂ  副走査方向
Ｐ  記録紙
Ｉ  インク
【図１】
2008055799.tif 000003
【図２】
2008055799.tif 000004
【図３】
2008055799.tif 000005
【図４】
2008055799.tif 000006